(57)【要約】【課題】補助熱交換器を室外熱交換器から離して設置することにより冷房能力を向上させるようにした空気調和機を提供する。【解決手段】四方弁２と室外熱交換器３との間に補助熱交換器６および第一開閉弁７を順次直列に配管接続し、四方弁２および補助熱交換器６の間と、第一開閉弁７および室外熱交換器３の間とに第二開閉弁９を備えたバイパス路８を接続して、冷房運転時に、第一開閉弁７を開き、第二開閉弁９を閉じて補助熱交換器６を凝縮器とし、暖房運転時に、第一開閉弁７を閉じ第二開閉弁９を開いてバイパス路８により補助熱交換器６をバイパスするようにしてなる室外ユニットにおいて、補助熱交換器６を室外熱交換器３から離し、例えば、送風ファンとその前方の吹出口との間に設けることにより両熱交換器３および６の通風状態を良くし、熱交換量を増大させ、冷房能力を向上させる。【選択図】  図１
2004218925.tif 000002
【特許請求の範囲】
【請求項１】
背面と側面に吸込口を有し、前面にファンリングを備えた吹出口を有する室外ユニットの本体内部を仕切板により機械室と、前記吸込口および吹出口を有する熱交換室とに区画し、前記機械室に圧縮機と、四方弁と、減圧手段と、第一および第二の開閉弁とを設ける一方、前記熱交換室に室外熱交換器と、その補助熱交換器と、これら両熱交換器で熱交換された空気を前記吹出口より外部に送出する送風ファンとを設け、前記圧縮機と、四方弁と、補助熱交換器と、第一の開閉弁と、室外熱交換器と、減圧手段と、室内ユニットを構成する室内熱交換器とを順次配管接続して冷凍サイクルを形成するとともに、前記四方弁および補助熱交換器の間と、前記第一の開閉弁および室外熱交換器の間とに前記第二の開閉弁を備えたバイパス路を接続し、冷房運転時に、前記第一の開閉弁を開き前記第二の開閉弁を閉じて前記補助熱交換器を凝縮器とし、暖房運転時に、前記第一の開閉弁を閉じ前記第二の開閉弁を開いて前記バイパス路により前記補助熱交換器をバイパスするようにしてなるものにおいて、前記補助熱交換器を前記室外熱交換器より離れた前記送風ファンの近傍に設けてなることを特徴とする空気調和機。
【請求項２】
前記補助熱交換器を前記送風ファンと前記吹出口との間に設けてなる請求項１記載の空気調和機。
【請求項３】
前記補助熱交換器が、前記ファンリングより小径の環状に形成され、前記ファンリングと同心円状に配置されてなる請求項１記載の空気調和機。
【請求項４】
前記補助熱交換器のフィンピッチを前記室外熱交換器のそれよりも大きくしてなる請求項１または請求項２記載の空気調和機。
【発明の詳細な説明】
【０００１】
【発明の属する技術分野】
本発明は空気調和機に係わり、より詳しくは、補助熱交換器を備え、冷房能力をより向上させるようにした室外ユニットの構造に関する。
【０００２】
【従来の技術】
空気調和機においては、図１に示すように、圧縮機１、四方弁２、室外熱交換器３、減圧手段４、室内熱交換器５とからなる冷凍サイクルの四方弁２と室外熱交換器３との間に、補助熱交換器６および第一開閉弁７を順次直列に接続し、四方弁２および補助熱交換器６の間と、第一開閉弁７および室外熱交換器３の間とに第二開閉弁９を備えたバイパス路８を接続し、冷房運転時に、第一開閉弁７を開き、第二開閉弁９を閉じて補助熱交換器６を凝縮器とすることにより冷房能力の向上を図り、暖房運転時に、第一開閉弁７を閉じ、第二開閉弁９を開いてバイパス路８により補助熱交換器６をバイパスすることにより暖房時の圧力損失を抑えるようにしたもの（例えば、特許文献１参照）がある。
【０００３】
しかしながら、従来の空気調和機では下記特許文献１の他、図５の（Ａ）に示すように、補助熱交換器６を室外熱交換器３の風上側に近接配設したり、図５の（Ｂ）に示すように室外熱交換器３の風下側に近接配設したりしていたので、両熱交換器３および６が近接した部位では他の部位に比して風上と風下間の空気抵抗が増大し、通気速度が低下し、熱交換率が低下してしまい、室外熱交換器３のパスバランスが悪くなるだけではなく、両熱交換器３および６の熱交換能力を十分に引き出せないという問題があった。
【０００４】
【特許文献１】
特開２００１ー２８０７３２号公報（第１ー２頁、第２図）
【０００５】
【発明が解決しようとする課題】
本発明においては、前記問題点に鑑み、室外熱交換器および補助熱交換器の能力を十分に発揮させ、冷房能力をより向上させるようにした空気調和機を提供することを目的としている。
【０００６】
【課題を解決するための手段】
本発明は上記の課題を解決するためになされたものであり、背面と側面に吸込口を有し、前面にファンリングを備えた吹出口を有する室外ユニットの本体内部を仕切板により機械室と、前記吸込口および吹出口を有する熱交換室とに区画し、前記機械室に圧縮機と、四方弁と、減圧手段と、第一および第二の開閉弁とを設ける一方、前記熱交換室に室外熱交換器と、その補助熱交換器と、これら両熱交換器で熱交換された空気を前記吹出口より外部に送出する送風ファンとを設け、前記圧縮機と、四方弁と、補助熱交換器と、第一の開閉弁と、室外熱交換器と、減圧手段と、室内ユニットを構成する室内熱交換器とを順次配管接続して冷凍サイクルを形成するとともに、前記四方弁および補助熱交換器の間と、前記第一の開閉弁および室外熱交換器の間とに前記第二の開閉弁を備えたバイパス路を接続し、冷房運転時に、前記第一の開閉弁を開き前記第二の開閉弁を閉じて前記補助熱交換器を凝縮器とし、暖房運転時に、前記第一の開閉弁を閉じ前記第二の開閉弁を開いて前記バイパス路により前記補助熱交換器をバイパスするようにしてなるものにおいて、前記補助熱交換器を前記室外熱交換器より離れた前記送風ファンの近傍に設けてなる構成とする。
【０００７】
また、前記補助熱交換器を前記送風ファンと前記吹出口との間に設けてなる構成とする。
【０００８】
また、前記補助熱交換器が、前記ファンリングより小径の環状に形成され、前記ファンリングと同心円状に配置されてなる構成とする。
【０００９】
また、前記補助熱交換器のフィンピッチを前記室外熱交換器のそれよりも大きくしてなる構成とする。
【００１０】
【発明の実施の形態】
以下、本発明の実施の形態を図１〜図４に基づいて説明する。
図１は空気調和機の冷凍サイクル図、図２は室外ユニットの内部構成を示す上面図、図３は同室外ユニットの内部正面図、図４は第２の実施の形態を示す室外ユニットの内部正面図である。
【００１１】
図において、Ａは空気調和機を構成する室外ユニット、Ｂは室内ユニットで、本発明に係わる冷凍サイクルは、圧縮機１と、運転モードに対応して冷媒の流れを切り替える四方弁２と、補助熱交換器６と、第一開閉弁７と、室外熱交換器３と、減圧手段（膨張弁）４と、室内熱交換器５を順次配管接続するとともに、四方弁２および補助熱交換器６の間と、第一開閉弁７および室外熱交換器３の間とに第二開閉弁９を備えたバイパス路８を接続した構成になっており、冷房運転時に、第一開閉弁７を開き、第二開閉弁９を閉じて補助熱交換器６を凝縮器とし、暖房運転時に、第一開閉弁７を閉じ第二開閉弁９を開いてバイパス路８により補助熱交換器６をバイパスするようになっている。なお、前記第二開閉弁９には、バイパス路８を四方弁２に向けてのみ開放する逆止弁が使用されている。
【００１２】
室外ユニットＡの筐体はベース１０と、ファンリング１１ａを備えた吹出口１１を有する前面パネル１２と、図示されてない左右側板および天板等で構成され、内部はベース１０上に立設された仕切板１３によって機械室１４と、背面および側面に外気の吸込口を有し前面に吹出口１１を有する熱交換室１５とに区画され、機械室１４には圧縮機１の他図示はされてないが前記四方弁２、前記第一開閉弁７、前記第二開閉弁９等とともに制御ユニットが配設され、熱交換室１５には室外熱交換器３と、その補助熱交換器６と、これら両熱交換器３および６で熱交換された空気を外部に送出する送風ファン１６と、ファンモータ１７とが配設されているが、本発明による室外ユニットＡにおいては、補助熱交換器６を室外熱交換器３から離し、送風ファン１６と吹出口１１（ファンリング１１ａ）の間に設けて両熱交換器３および６の通風状態を良くし、熱交換能力を最大限に引き出すようにしたことが最大の特徴となっている。
【００１３】
なお、上記室外ユニットＡにおいては、補助熱交換器６を送風ファン１６と吹出口１１（ファンリング１１ａ）の間に設けた形態になっているが、必ずしもこれに限定するものではなく、室外熱交換器３および補助熱交換器６の機能を十分に引き出せるならば送風ファン１６の後方または側方であってもよい。
【００１４】
次に、図４に示す第２の実施の形態について説明する。
この第２の実施においての最大の特徴は、補助熱交換器６を、吹出口１１を構成するファンリング１１ａの内径より小径の環状に形成し、ファンリング１１ａと同心円状に配置したことである。
このような形態にすれば、補助熱交換器６全体にほぼ均一に風が当たり、効率良く熱交換できる。
【００１５】
なお、補助熱交換器６は室外熱交換器３と同様に伝熱管とこれに直交する多数枚のフィン等で構成されているが、この補助熱交換器６のフィンピッチは室外熱交換器３のそれよりも大きくした構成であっても良く、寧ろ補助熱交換器６のフィンピッチを大きくすることにより吹出口１１の空気流をより良くすることができる。
【００１６】
【発明の効果】
以上説明したような構成による空気調和機であるならば、補助熱交換器が室外熱交換器から離され、送風ファンの風下中央部に位置することにより、補助熱交換器だけでなく室外熱交換器の部分的な風速低下も解消され、熱交換能力が最大限に引き出されることにより、冷房能力がより発揮されることになり、消費電力の低減にも寄与する。
【図面の簡単な説明】
【図１】本発明および従来例に係わる空気調和機の冷凍サイクル図である。
【図２】本発明の第１の実施の形態を示す室外ユニットの内部上面図である。
【図３】本発明の第１の実施の形態を示す室外ユニットの内部正面図である。
【図４】本発明の第２の実施の形態を示す室外ユニットの内部正面図である。
【図５】従来の室外熱交換器と補助熱交換器の位置関係を示す要部側面図である。
【符号の説明】
Ａ  室外ユニット
Ｂ  室内ユニット
１  圧縮機
２  四方弁
３  室外熱交換器
４  減圧手段（膨張弁）
５  室内熱交換器
６  補助熱交換器
７  第一開閉弁
８  バイパス路
９  第二開閉弁（逆止弁）
１０  ベース
１１  吹出口
１１ａ  ファンリング
１２  前面パネル
１３  仕切板
１４  機械室
１５  熱交換室
１６  送風ファン
１７  ファンモータ
【図１】
2004218925.tif 000003
【図２】
2004218925.tif 000004
【図３】
2004218925.tif 000005
【図４】
2004218925.tif 000006
【図５】
2004218925.tif 000007